(57)【要約】【課題】  当該吸引瓶の内部での吸引物の飛沫の発生を抑制乃至解消し、以てそのような飛沫の吸引に起因した医療用吸引器本体の電動ポンプ等の汚染や故障の発生を回避する。【解決手段】  吸引物導入管路４が、平面視で上蓋３の略円筒状の側部３０３の内周面３０４の接線方向から吸引物１１を上蓋３の略円筒状の側部３０３の内周面３０４に向けて導入し、吸引物１１が上蓋３および瓶本体２の略円筒状の側部３０３の内周面３０４に沿って旋回乃至弧を描きつつ落下して行き、最終的に瓶本体２の内部に貯留されるように、上蓋３の略円筒状の側部３０３に、その接線に管軸４０２が沿ってほぼ水平に向くように設けられている。【選択図】  図１
2020175029.tif 000002
【特許請求の範囲】
【請求項１】
上部が開口部となっており下部が有底部となっており側部が略円筒状である瓶本体と、
前記瓶本体の前記開口部に装着された、上部が略円状の天板となっており下部が開口部となっており側部が略円筒状である上蓋と、
吸引器本体の作り出す負圧によって患者から吸引チューブを介して吸引されて来た吸引物を前記瓶本体の外部から内部に導くべく前記上蓋に設けられた吸引物導入管路と、
前記吸引器本体の作り出す負圧によって前記瓶本体の内部から気体を吸引して吸引器本体に導くべく前記上蓋に設けられた負圧連通管路と、を有する医療用吸引器の吸引瓶であって、
前記吸引物導入管路が、平面視で前記上蓋の略円筒状の側部の内周面の接線方向から前記吸引物を導入し前記上蓋の略円筒状の側部の内周面に沿って吐出するように、前記上蓋の略円筒状の側部に設けられている
ことを特徴とする医療用吸引器の吸引瓶。
【請求項２】
請求項１記載の医療用吸引器の吸引瓶において、
前記吸引物導入管路が、平面視で前記上蓋の略円筒状の側部の内周の接線方向から前記吸引物を前記上蓋の略円筒状の側部の内側へと導入し、前記吸引物が前記上蓋および前記瓶本体の略円筒状の側部の内周に沿って旋回乃至弧を描きつつ落下して行き前記瓶本体の内部に貯留されるように、前記上蓋の略円筒状の側部に前記接線に沿って略水平に設けられている
ことを特徴とする医療用吸引器の吸引瓶。
【請求項３】
請求項１または２記載の医療用吸引器の吸引瓶において、
前記上蓋が、前記上蓋の略円筒状の側部よりも内周の位置であって、かつ当該位置と前記上蓋の略円筒状の側部との間に前記吸引物導入管路の出口が挟まれるような位置に、前記吸引物導入管路によって導入されて来た吸引物の流れが前記位置よりもさらに内周側に拡散することを抑制するデフレクタとして機能する、略円筒状の隔壁を有する
ことを特徴とする医療用吸引器の吸引瓶。
【請求項４】
請求項１から３のいずれかに記載の医療用吸引器の吸引瓶において、
前記上蓋は、その略円筒状の側部の直径が、前記天板が設けられている上方から開口部が設けられている下方に向かって大きくなって行く形状に形成されている
ことを特徴とする医療用吸引器の吸引瓶。
【発明の詳細な説明】
【技術分野】
【０００１】
本発明は医療用吸引器本体と共に用いられて、吸引器本体による吸引力によって患者の鼻・喉等から吸引されて来た吸引物を貯留する、吸引瓶に関する。
【背景技術】
【０００２】
特許文献１には、電動ポンプを内蔵してなる吸引器本体と吸引物採集（貯留）ボトル（本発明で言うところの吸引瓶に相当）とを有する医療用吸引器が提案されている。
【先行技術文献】
【特許文献】
【０００３】
【特許文献１】特開２００４―４９７０４号公報
【発明の概要】
【発明が解決しようとする課題】
【０００４】
従来技術に係る典型的な構成の吸引瓶においては、上述の特許文献１に示されている如く、患者の鼻や喉等から吸引された吸引物は、吸引チューブを通って吸引瓶に導き入れられるように設定されている。
そして、その吸引瓶において、いわゆる気液分離が行われる。
その際に、気体、すなわち液体よりも軽い主に空気および呼気のみが、負圧連通管路を通って（または、場合によってはその途中にさらにＰＴＦＥフィルタ等を介して）吸引器本体に到る。
他方、上述の気体から分離された、気体よりも重い液体ないし粘性流体、すなわち鼻汁・唾液・血液・水分等は、それ自体の重力によって吸引瓶の内部に留まり、そこに貯留されることとなる。
【０００５】
従来技術に係る吸引瓶の上蓋の上面には、吸引物導入管路がほぼ垂直に屹立するように設けられており、その吸引物導入管路に吸引チューブが接続されるように設定されている。
このような構成により、吸引器本体の電動ポンプによって発生された負圧（吸引力）によって患者の鼻・喉等から吸引された粘性流体状の吸引物は、吸引チューブを通って、吸引瓶の上蓋にほぼ垂直に屹立して設けられている吸引物導入管路に至り、その吸引物導入管路の吐出口からほぼ鉛直下向きに噴射されるようにして、吸引瓶の内部に吐出され、その吸引瓶の内部に貯留されることとなる。
【０００６】
このようにして、空気や呼気等の気体を含んだ吸引物全体から、空気や呼気等の気体のみを分離し、それを負圧連通チューブ等を介して吸引器本体に吸引させ、それ以外の鼻汁や水分等の粘性流体状の部分は、吸引器本体に到達することのないように、吸引瓶の内部に貯留させるようにすることができるようになっている。
【０００７】
しかしながら、上述のような従来技術に係る吸引瓶では、吸引瓶の内部に既に貯留している粘性流体状の吸引物の上面に、新たに吸引されて来た吸引物が、ほぼ垂直に噴射されるようにして吐出されるので、それに起因して、吸引物の面上に大きな跳ねの飛沫が生じることとなる。
しかも、吸引器に用いられる電動ポンプとしては一般にダイヤフラム式のような所謂脈動が発生しやすいものが用いられる傾向にある。その脈動に起因して、吸引物の吸引にも脈動が発生しやすくなり、その脈動によって断続的に吸引物が吸引瓶へ吐出されることになるので、吸引瓶内での吸引物の跳ねや飛沫の発生は、吸引物の粘性や吸引瓶の大きさ等の組み合わせによっては、ますます顕著なものとなる虞がある。
いずれにしても、そのような吸引物の跳ねの飛沫は、負圧連通チューブが接続されている上蓋の吸引口にまで到達する程の顕著で大きなものとなる場合が多いので、その吸引口から吸引されて、負圧連通チューブを介して吸引器本体の電動ポンプにまで到ることとなる、つまり電動ポンプが液体状や粘性流体状の吸引物の飛沫を吸い込んでしまうこととなる。
そして、その吸い込んでしまった液体状や粘性流体状の飛沫に起因して、電動ポンプに故障や汚染の発生する虞があり、またその他にも、内部配管や、ポンプの排気口から、吸引器外へも汚染が広がる虞があるなどの問題があった。
【０００８】
また、上述のような飛沫の発生を抑制することを企図した技術として、吸引物導入管路の吐出口の先端を鉛直方向に向けるのではなく、鉛直に延びる管路の先端を斜め方向に向けるようにする方策なども提案された。
しかし、そのような方策を以てしてもなお、吐出された吸引物が吸引瓶の側部の内壁に当たって跳ね返るときに顕著な飛沫が生じたり、その跳ね返った吸引物が既に貯留されている吸引物の上面に叩きつけられて跳ねが生じたりするので、上述のような飛沫の問題は依然として解消されなかった。
【０００９】
本発明の目的は、上述のような吸引瓶における吸引物の飛沫の発生を抑制乃至解消し、以てそのような飛沫の吸引に起因した電動ポンプの故障や汚染、またその他にも内部配管やポンプの排気口から吸引器外へも汚染が広がる虞があるという問題を解決することを可能とした、医療用吸引器の吸引瓶を提供することにある。
【課題を解決するための手段】
【００１０】
（１）  本発明の医療用吸引器の吸引瓶は、上部が開口部となっており下部が有底部となっており側部が略円筒状である瓶本体と、前記瓶本体の前記開口部に装着された、上部が略円状の天板となっており下部が開口部となっており側部が略円筒状である上蓋と、吸引器本体の作り出す負圧によって患者から吸引チューブを介して吸引されて来た吸引物を、前記瓶本体の外部から内部に導くべく前記上蓋に設けられた吸引物導入管路と、前記吸引器本体の作り出す負圧によって前記瓶本体の内部から気体を吸引して吸引器本体に導くべく前記上蓋に設けられた負圧連通管路と、を有する医療用吸引器の吸引瓶であって、前記吸引物導入管路が、平面視で前記上蓋の略円筒状の側部の内周の接線方向から前記吸引物を導入し前記上蓋の略円筒状の側部の内側に沿って吐出するように、前記上蓋の略円筒状の側部に設けられている。
（２）  好適には、前記吸引物導入管路が、平面視で前記上蓋の略円筒状の側部の内周の接線方向から前記吸引物を前記上蓋の略円筒状の側部の内側へと導入し、前記吸引物が前記上蓋および前記瓶本体の略円筒状の側部の内周に沿って旋回乃至弧を描きつつ落下して行き前記瓶本体の内部に貯留されるように、前記上蓋の略円筒状の側部に前記接線に沿って設けられているようにするとよい。
（３）  また、好適には、前記上蓋が、前記上蓋の略円筒状の側部よりも内周の位置であって、かつ当該位置と前記上蓋の略円筒状の側部との間に前記吸引物導入管路の出口がはさまれるような位置に、前記吸引物導入管路によって導入されて来た吸引物の流れが前記位置よりもさらに内周側に拡散することを抑制するデフレクタとして機能する、略円筒状の隔壁を有するものであるようにするとよい。
（４）  また、好適には、前記上蓋は、その略円筒状の側部の直径が、前記天板が設けられている上方から開口部が設けられている下方に向かって大きくなって行く形状に形成されているようにするとよい。
【発明の効果】
【００１１】
本発明における医療用吸引器の吸引瓶によれば、当該吸引瓶の内部での吸引物の飛沫の発生を抑制乃至解消し、以てそのような飛沫の吸引に起因した医療用吸引器本体の電動ポンプ等の汚染や故障の発生を、回避することが可能となった。
【図面の簡単な説明】
【００１２】
【図１】本発明の一実施形態に係る吸引瓶の主要な構成を示す説明図である。
【図２】本発明の一実施形態に係る吸引瓶の内部構造を断面図として示す説明図である。
【図３】本発明の一実施形態に係る吸引瓶の上蓋における、特に吸引物導入管路およびデフレクタ（隔壁）の構成を一部断面図として示す説明図である。
【図４】本発明の一実施形態に係る吸引瓶を医療用吸引器に装着した状態の一例を示す説明図である。
【図５】本発明の一実施形態に係る吸引瓶の作用およびそれによって奏される効果を模式的に示した説明図である。
【発明を実施するための形態】
【００１３】
図１は、本発明の一実施形態に係る、医療用吸引器に用いられる吸引瓶の、主要な構成を示す説明図である。
また図２は、図１に示した吸引瓶の内部構造を断面図として示す説明図である。
【００１４】
この医療用吸引器に用いられる吸引瓶（以下、単に「吸引瓶」とも記述する）１は、瓶本体２と、上蓋３と、吸引物導入管路４と、デフレクタ（隔壁）５と、負圧連通管路６と、フロート式流入防止弁７とを、その主要な構成部位として有している。
【００１５】
瓶本体２は、上部８が開口となっており、下部９が底面（有底部）となっており、側部１０がほぼ円筒状でその直径が下方に向かって小さくなって行く、所謂コップ状の容器である。
この瓶本体２に、患者（図示省略）から吸引されて来た吸引物１１が貯留される。
この瓶本体２自体は、上述のような所謂コップ状の、一般的なものであってよい。
【００１６】
上蓋３は、瓶本体２の開口８に装着される、上部が円状の天板３０１となっており、下部３０２が開口となっており、側部３０３がほぼ円筒状で、その直径が下方に向かって大きくなって行く形状に形成されている。
その側部３０３には、吸引物導入管路４が設けられている。
その天板３０１には、負圧連通管路６を装着するための貫通孔３０４が設けられている。
そして、その天板３０１の貫通孔３０４に、負圧連通管路６が装着される。
また、天板３０１の内側には、デフレクタ（隔壁）５が円筒状の隔壁のような形で設けられている。
【００１７】
図３は、本発明の一実施形態に係る吸引瓶の上蓋の構成を、特に吸引物導入管路およびデフレクタの構成に着目し、一部断面図として示す説明図である。
【００１８】
吸引物導入管路４は、吸引器１本体に内蔵されたダイヤフラム式電動ポンプ等（図示省略）の作り出す負圧によって患者から吸引チューブ（図示省略）を介して吸引されて来た吸引物１１を、瓶本体２の内部に導くべく、上蓋３に、その天板３０１を貫通してではなく、側部３０３の内周面３０４の描く円の接線に沿って設けられている。
すなわち、この吸引物導入管路４は、特に注目すべきは、従来の構成のような上蓋３の天板３０１を貫通して吸引物１１を垂直（鉛直）方向に瓶内に導き入れるように設けられているのではなく、上蓋３の側部３０３に設けられていて、その側部３０３の接線方向から、吸引物１１をほぼ水平方向に瓶内に導き入れるように設けられている、ということである。
【００１９】
これをさらに詳しく説明すると、吸引物導入管路４は、平面視で上蓋３のほぼ円筒状の側部３０３の内側（内周面）のほぼ接線方向から吸引物１１を導入し、それを上蓋３のほぼ円筒状の側部３０３の内周面に沿って吐出するべく、上蓋３の側部３０３に設けられている。
この吸引物導入管路４の吐出口４０１から吐出された吸引物１１は、遠心力で以て上蓋３のほぼ円筒状の側部３０３の内周面に沿って進むが、その側部３０３との粘性的・流体的な摩擦によって次第に減速されて遠心力が減少し、かつそれと共に重力によって下方に引き下げられて行く。
従って、その吐出された吸引物１１の流れは、上蓋３の側部３０３の内側〜瓶本体２の側部１０の内側〜瓶本体２内に既に貯留されている吸引物１１１の上面１１２の順に、瓶本体２の側部１０に沿って螺旋状に降下して行き、最終的に、既に貯留されている吸引物１１１の上面１１２に斜め方向から到達し、最終的にその吸引物１１１と混じり合う、という経路を辿ることとなる。
よって、その吸引物１１の流れの経路における最後まで、瓶本体２内に既に貯留されている吸引物１１１の上面１１２に対して跳ねや飛沫を生じさせるような衝突を生じることが回避され、またその途中で吸引物１１がこの吸引瓶１内の空間に飛沫となって飛散したりすることも回避される。
【００２０】
この吸引物導入管路４は、さらに具体的な態様として、次のようなものとするとよい。
すなわち、平面視で上蓋３の側部３０３の内周の接線方向に沿ってほぼ水平に、その接線よりも若干内周寄りにオフセットした位置に吸引物導入管路４の管軸４０２が合わさるように、この吸引物導入管路４を設ける。
そして、この吸引物導入管路４によって吸引物１１を上蓋３の円筒状の側部３０３の内側に導入し、その吸引物１１が上蓋３および瓶本体２の各円筒状の側部３０３、１０の内周に沿って旋回乃至弧を描きつつ落下して行き、最後まで飛沫や跳ねを生じることなく、最終的に瓶本体２の内部に貯留されるようにするべく、この吸引物導入管路４の取り付け角度（水平方向に対して例えば５度程度の傾斜を敢えて付与する等）、管路の直径、吐出口４０１の形状、管軸４０２のオフセットの大きさ、デフレクタ５の配置される位置（その直径）、上蓋３の側部３０３の直径が上方から下方に向かって大きくなって行く度合い（つまり側部３０３の傾斜の度合い）等を、適切な設定にするとよい。
このようにすることにより、吸引瓶１の内部での吸引物１１の跳ねや飛沫の発生を、さらに確実に抑止（回避）することが可能となる。
【００２１】
デフレクタ５は、天板３０１の内側に設けられている隔壁状のものである。
より具体的には、デフレクタ５は、上蓋３のほぼ円筒状の側部３０３よりも内周の位置であってかつその位置と上蓋３のほぼ円筒状の側部３０３の内周面３０４との間に吸引物導入管路４の出口（つまり吸引物１１の吐出口）４０１を挟むような位置に設けられた、円筒状の隔壁である。
このデフレクタ５の外周面５０１と、上蓋３の側部３０３の内周面３０４との間に、吸引物導入管路４の吐出口４０１から吐出された吸引物１１の流路４０３が画定される。
従って、この隔壁状のデフレクタ５によれば、外部から導入され吸引物導入管路４を通ってこの吸引瓶１内に吐出された吸引物１１の流れが、このデフレクタ５の設けられている位置よりも内周側に拡散することが抑制される。
そしてさらに、このデフレクタ５の整流作用によって、吸引物１１の流れがこの吸引瓶１内で螺旋状または円弧を描きつつ重力によって上蓋３からその下の瓶本体２の底面９に向かって流れて行くという、その螺旋状または円弧状の流れを確実に形成することを可能にする。
【００２２】
負圧連通管路６は、吸引器２０本体の作り出す負圧によって、この吸引瓶１の内部から気体を吸引して吸引器２０本体に導くべく、上蓋３に配置されたものである。
この負圧連通管路６は、上蓋３の天板３０１に設けられた貫通孔３０４に、例えば所謂オーリング（Ｏ−ｒｉｎｇ）６０１を用いて嵌め込まれるような形で以て装着される。
【００２３】
フロート式流入防止弁７は、この吸引瓶１内に貯留される吸引物１１１の上面１１２が所定の高さに到ると、その吸引物１１１の上面１１２によってフロート本体７０１が持ち上げられて弁体７０２が閉じ、吸引を停止させる。フロート式流入防止弁７は、このようにして、吸引物１１１、１１が負圧連通管路６に誤って流入してしまうことを防ぐことができるように設けられている。
このフロート式流入防止弁７自体は、一般的なものであってよい。あるいは、例えば吸引瓶１の構造を簡略化するという技術的要請に対応することが必要な場合や、他の種類の吸引停止装置（図示省略）を用いる場合などには、このフロート式流入防止弁７は省略することも可能である。
【００２４】
図４は、本発明の一実施形態に係る吸引瓶を医療用吸引器本体に装着した状態の一例を示す説明図である。
【００２５】
医療用吸引器２０本体（以下、単に「吸引器２０本体」とも記述する）には、吸引瓶１を直立した状態で保持する吸引瓶保持部２１が設けられている。その吸引瓶保持部２１に、この吸引瓶１が直立した状態で保持される。
そして、吸引瓶１の負圧連通管路６は、医療用吸引器２０本体の負圧連通チューブ２２に接続される。その負圧連通チューブ２２は、医療用吸引器２０本体の内部に設けられている例えばダイヤフラム式の電動ポンプ（図示省略）に接続されている。
また、図示は省略するが、吸引物導入管路４の瓶外側の先端部４０４には、患者からの唾液・鼻汁・痰・血液・その他の体液や各種粘性流体等を吸引する吸引チューブ（図示省略）が接続される。
吸引の圧力は、圧力計２３によって表示される。また、その圧力の調節は、ユーザー（図示省略）によって調節ツマミ２４を用いて調節されるように設定されている。
ここで、従来の吸引瓶では一般に、吸引物導入管路が吸引瓶の上蓋の天板上にほぼ直立した姿勢でその天板を貫通するように設けられていたので、それが障害物となって、吸引瓶の上蓋の直上にフィルタユニットを装着することができなかった。
しかし、本実施形態の吸引瓶１では、吸引物導入管路４は上蓋の側部から外へ水平方向に伸びるように設けられているので、図４に示したように、その上蓋３の天板３０１上に所謂「直付け」でフィルタユニットを装着することができる。この点も、本実施形態の吸引瓶１の利点の一つである。
【００２６】
図５は、本発明の一実施形態に係る吸引瓶の作用およびそれによって奏される効果を模式的に示した説明図である。なお、この図５では、図示の簡潔化のために、デフレクタ５は省略してある。
【００２７】
吸引瓶１の天板３０１には、負圧連通管路６が設けられている。その負圧連通管路６の吸入口６０１からの負圧による吸引によって、吸引瓶１内で吸引物１１から分離された呼気や空気等の気体１２が吸引されて、吸引器２０本体に送られる。
他方、上述のとおり、吸引物導入管路４は、平面視で上蓋３のほぼ円筒状の側部３０３の内周の接線方向から吸引物１１を導入し、それを上蓋３のほぼ円筒状の側部３０３の内側つまり内周面３０４に沿って流れるように吐出するべく、上蓋３の側部３０３に設けられている。
また、既に図３に基づいて説明したように、デフレクタ５によって、その外周面５０１と上蓋３の側部３０３の内周面３０４との間に、吸引物導入管路４の吐出口４０１から吐出される吸引物１１の流路４０３が画定されている。
【００２８】
従って、この吸引物導入管路４の吐出口４０１から吐出された吸引物１１は、その吐出時の比較的速い初速度による遠心力Ｆｒで以て、上蓋３のほぼ円筒状の側部３０３の内周面３０４に沿って進んで行く。
その際、デフレクタ５によって吸引物１１の流れが内周方向に拡散することが規制されていると共に流路４０３が画定されているので、吸引物１１はさらに確実に、上蓋３のほぼ円筒状の側部３０３の内周面３０４に沿って進んで行くこととなる。
【００２９】
そして、その吸引物１１は、側部３０３の内周面３０４に沿って進んで行くうちに、側部３０３との粘性的・流体的な摩擦によって、次第に減速されて遠心力Ｆｒが減少し、かつ、重力ｍｇが恒常的に働いているので、徐々に下方へ向かって引き下げられて行く。
またそれと共に、上蓋３の側部３０３は、ほぼ円筒状であるが、その直径が下方に向かって大きくなって行く形状に形成されているので、吸引物１１は、側部３０３の内周面３０４に沿って下方に降りて行くに連れて遠心力Ｆｒが漸減して行くこととなる。つまり、この形状によって、吸引物１１を上蓋３の高さに滞留させることなくスムーズに螺旋状に下方へと向かわせるようにすることが促進されることとなる。
従って、吸引物導入管路４の吐出口４０１から吸引瓶１内に吐出された吸引物１１の流れは、図５に曲線矢印Ｖｃとしてその軌跡を模式的に示すと共に、その吸引物１１自体に斜線を付して断面図として模式的に示したように、上蓋３および瓶本体２の各円筒状の側部３０３、１０の内周面３０４、１０１に沿って、螺旋状の旋回乃至円弧を描きつつ（つまり喩えて言えばトルネードかサイクロン（渦巻き）のような螺旋状を描きつつ）、上方から下方へと漸次降下して行く。
【００３０】
そして最終的に、瓶本体２内に既に貯留されている吸引物１１１の上面１１２に、瓶本体２の側部１０の内周面１０１に沿って斜め方向から到達する。
従って、吸引物導入管路４の吐出口４０１から吸引瓶１内に吐出されて、螺旋状乃至円弧を描きつつ降下してきた吸引物１１は、吸引物１１１の上面１１２に跳ねや飛沫を生じるような衝突を生じることなく、吸引物１１１の上面１１２に対して水平に近い斜め方向から到達して、スムーズに混じり合うこととなる。
このようにして、本実施形態に係る吸引瓶１によれば、その吸引瓶１内での吸引物１１の流れの経路における最初から最後まで、所謂ミスト吸引のような誤吸引の要因となる吸引物１１、１１１の跳ねや飛沫などを生じないようにすることが可能となる。
【００３１】
以上のとおり、本発明の一実施形態に係る吸引瓶１によれば、当該吸引瓶１の内部での吸引物１１、１１１の跳ねや飛沫の発生を抑制乃至解消し、以てそのような跳ねや飛沫の吸引に起因した医療用吸引器２０本体の電動ポンプ等の汚染や故障の発生を回避することが達成される。
【００３２】
＜実施形態の構成および効果＞
（１）  本実施形態に係る医療用吸引器の吸引瓶１は、上部８が開口となっており下部９が底面となっており側部１０が略円筒状である瓶本体２と、その瓶本体２の開口部８に装着された、上部が略円状の天板３０１となっており下部３０２が開口となっており側部３０３が略円筒状である上蓋３と、吸引器２０本体の作り出す負圧によって患者から吸引チューブを介して吸引されて来た吸引物１１を瓶本体２の外部から内部に導くべく上蓋３に設けられた吸引物導入管路４と、吸引器２０本体の作り出す負圧によって瓶本体２の内部から気体を吸引して吸引器２０本体に導くべく上蓋３に設けられた負圧連通管路６と、を有する医療用吸引器２０用の吸引瓶１であって、吸引物導入管路４が、平面視で上蓋３の略円筒状の側部３０３の内周面３０４の接線方向から吸引物１１を導入し上蓋３の略円筒状の側部３０３の内周面３０４に沿って吐出するように、上蓋３の略円筒状の側部３０３に設けられている。
このような構成を有することから、当該吸引瓶１の内部での吸引物１１、１１１の飛沫の発生を抑制乃至解消して、そのような飛沫の吸引に起因した医療用吸引器２０本体の電動ポンプ等の汚染や故障の発生を回避することが可能となる。
【００３３】
（２）  また、吸引物導入管路４が、平面視で上蓋３の略円筒状の側部３０３の内周面３０４の接線方向から吸引物１１を上蓋３の略円筒状の側部３０３の内周面３０４に向けて導入し、吸引物１１が上蓋３および瓶本体２の略円筒状の側部の内周面３０４、に沿って旋回乃至弧を描きつつ落下して行き、瓶本体２の内部に貯留されるように、上蓋３の略円筒状の側部３０３に、その接線に沿って略水平に設けられている。
このような構成を有することから、当該吸引瓶１の内部での吸引物１１、１１１の飛沫の発生を、さらに効果的に抑制乃至解消して、そのような飛沫の吸引に起因した医療用吸引器２０本体の電動ポンプ等の汚染や故障の発生を回避することが可能となる。
【００３４】
（３）  また、上蓋３が、その上蓋３の略円筒状の側部３０３よりも内周寄りの位置であって、かつ当該位置と上蓋３の略円筒状の側部３０３の内周面３０４との間に吸引物導入管路４の出口（吐出口）４０１が挟まれるような位置に、吸引物導入管路４によって導入されて来た吸引物１１の流れが上述の位置よりもさらに内周側に拡散することを抑制するデフレクタ５として機能する、略円筒状の隔壁を有する。
このような構成を有することから、吸引物１１の流れがさらに内周側に拡散することを抑制すると共に、その吸引物１１の流れを整流して、さらに確実に上蓋３の略円筒状の側部３０３の内周面３０４に沿って、螺旋状に上方から下方へと向かわせることが可能となる。
【００３５】
（４）  また、上蓋３は、その略円筒状の側部３０３の直径が、天板３０１の設けられている上方から開口３０２の設けられている下方に向かって大きくなって行く形状に形成されている。
このような構成を有することから、吸引物１１を上蓋３の高さに滞留させることなくスムーズに螺旋状に下方へと向かわせるようにすることを促進せしめることが可能となる。
【００３６】
＜定義等＞
・上蓋および瓶本体の「略（ほぼ）円筒状の側部」の「略円筒状」とは、その直径が上方から下方に向かうに連れて漸次に小さくなって行く（瓶本体の場合）、または、大きくなって行く（上蓋の場合）形状も含む、という意味で、「略」という文言を用いた。
・「吸引物導入管路が…（中略）…略水平に設けられている」の「略水平」とは、吸引物導入管路はその管軸が基本的に水平方向に向くように設けられる、という事項が本発明の最も基調となるアイデアであるが、必ずしも完全に水平方向（つまり鉛直方向に対して厳密に９０度の角度で交差する方向）のみには限定されず、例えば数度程度の範囲内でその上下方向の角度を若干水平方向からずらして設定することなども可能である、という意味で、「略」という文言を用いた。
【符号の説明】
【００３７】
１  吸引瓶
２  瓶本体
３  上蓋
４  吸引物導入管路
５  デフレクタ
６  負圧連通管路
７  フロート式流入防止装置
８  瓶本体の上部（開口）
９  瓶本体の下部（底面）
１０  瓶本体の側部
１１  吸引物
２０  吸引器（本体）
２１  吸引瓶保持部
１０１  瓶本体の側部の内周面
３０１  上蓋の天板
３０２  上蓋の開口
３０３  上蓋の側部
３０４  上蓋の側部の内周面
４０１  吐出口
４０２  管軸
４０３  吸引物の流路
【図１】
2020175029.tif 000003
【図２】
2020175029.tif 000004
【図３】
2020175029.tif 000005
【図４】
2020175029.tif 000006
【図５】
2020175029.tif 000007